(57)【要約】【課題】視聴制限をかけるための設定情報のデータを記憶する放送受信装置において、不揮発性メモリの容量の増加を抑制する。【解決手段】  ＤＶＤレコーダは、チューナ部、ＯＳＤ合成部、Ｄ／Ａ変換器、制御部を備える。チューナ部のシステムデコーダは、放送番組情報のデータであるＥＩＴを制御部に出力する。制御部のＲＲＴ保存処理では、チューナ部が視聴制限を行うための情報であるＲＲＴを抽出する。制御部７は、ＲＲＴのうちの文字データを揮発性メモリに記憶させ、ＲＲＴのバージョン、ディメンジョン総数、ディメンジョンの構成を不揮発性メモリに記憶させる。ＲＲＴ設定処理は、不揮発性メモリ、揮発性メモリに記憶されたＲＲＴのデータを再構成してディメンジョン、レイティングの視聴制限の設定を受け付ける。この設定データを受け付けた場合には、レイティングの設定をコード化して記憶する。【選択図】図５
2008278175.tif 000002
【特許請求の範囲】
【請求項１】
放送番組を受信すると共に、各放送番組についての視聴制限を行うための各種項目とその項目についてのレイティングとを対応したデータテーブルを受信する受信手段を備える放送受信装置において、
前記データテーブルのうちの文字データを記憶する揮発性メモリと、
前記データテーブルのうち、前記データテーブルの構造を表す構造データであって、前記文字データ以外の構造データを記憶する不揮発性メモリと、を備える放送受信装置。
【請求項２】
前記不揮発性メモリは、前記構造データとして、前記視聴制限の項目の総数、前記視聴制限の項目各々に含まれるレイティングの総数を含むデータを記憶する請求項１に記載の放送受信装置。
【請求項３】
前記受信手段は、さらに現在受信している放送番組の視聴制限をするためのレイティングを受信し、
前記受信手段により受信した設定情報に基づいて、前記設定項目についてそのレイティングレベルの設定を予め受け付ける設定手段と、
現在受信している放送番組のレイティングと、前記レイティングレベルの設定と、を比較した結果に基づいて、当該放送番組の映像信号の出力を禁止する禁止手段と、を備え、
前記設定手段は、前記不揮発性メモリ、揮発性メモリに記憶されたデータに基づいて、視聴制限のための項目の名称と、そのレイティングの名称を表示して、前記レイティングレベルの設定を予め受け付ける請求項１〜２のいずれかに記載の放送受信装置。
【請求項４】
前記文字データのデフォルトデータが記録された読み出し専用メモリと、
前記禁止手段が前記放送の受信を禁止する場合に、前記現在受信している放送番組が視聴禁止の設定がされている旨の禁止表示を出力する禁止表示手段と、を備え、
前記禁止表示手段は、前記文字データが前記揮発性メモリにないときには、前記デフォルトデータに基づいて前記禁止表示を出力し、前記文字データが前記揮発性メモリにあるときには、前記揮発性メモリに記憶された文字データに基づいて前記禁止表示を出力する請求項３に記載の放送受信装置。
【請求項５】
前記不揮発性メモリは、前記構造データとして、前記視聴制限の項目の総数、前記視聴制限の項目各々に含まれるレイティングの総数を含むデータを記憶すると共に、前記設定手段により受け付けた設定のデータを、視聴制限、視聴許可を表す２値のデータ列で記憶し、
前記禁止手段は、前記２値のデータ列を前記レイティングの総数で区分して、所定の項目の所定のレイティングについて視聴制限か視聴許可かの情報を取得し、これに基づいて、前記放送の受信を禁止する請求項３に記載の放送受信装置。
【発明の詳細な説明】
【技術分野】
【０００１】
本発明は、番組情報を受信して所定の制御を行う放送受信装置に関し、特に、番組情報の所定のデータを記憶する手段に関する。
【背景技術】
【０００２】
従来より、デジタル放送が実用化されている。デジタル放送は、複数の放送がパケット化されたＴＳ（トランスポーストリーム）の形で伝送されており、これらのパケットのうちいずれかは、ＰＳＩ(Program Specific Information、番組特定情報)またはＳＩ（Service Information）が伝送されている。ＰＳＩ／ＳＩの中には、ＥＩＴ(EventInformation Table)が含まれている。番組の名称や放送日時、放送内容など、番組に関連する情報が含まれる。なおＥＰＧ（Electronic Program Guide、電子番組表）は主にＥＩＴを用いて作成される。
【０００３】
さらに、ＥＩＴの中には、不適切な放送番組について子供が視聴しないよう、親が視聴制限をかける設定をするためのＲＲＴ（Rating Region Table、レイティング地域テーブル）が含まれる。このＲＲＴには、視聴制限の設定を行うための各種の項目（Dimension,ディメンジョン）と、その項目によりどのレベルで視聴制限を行うかを表すレベル（レイティングレベル）とが対応付けられたＶ−ＣＨＩＰ情報を含んでいる。たとえば、ディメンジョンとしては、バイオレンス、アダルトなどの項目がある。レイティングレベルには、年齢制限をかける１３歳未満、１８歳未満など）のレベルの設定などがある。
【０００４】
また、受信した電子番組表の各番組のデータには、視聴制限を行うための各種の項目と、その項目のレイティングレベルが含まれている。レイティング情報が放送受信装置に予め設定された場合には、放送受信装置は、この設定された条件以上のレベルの放送番組について視聴制限を行う。具体的には、画面を真っ黒にして、視聴制限がかかっている旨の表示を行う。
【０００５】
従来、電源をオフにしても、放送受信装置がＥＩＴ情報を記憶しているようにするために、不揮発性メモリに記憶させることが行われていた。
【０００６】
一方、特許文献１には、ＥＩＴ情報を記録する不揮発性メモリを不要にするために、ネットワークに接続されたサーバに送信する放送受信装置が開示されている。また、特許文献２には、電源オフ時にＥＰＧを不揮発性メモリに記憶するテレビ放送受信機が開示されている。特許文献３には、Ｖ−ＣＨＩＰのレイティング情報と放送番組のタイトル情報と対応させてメモリに記録する放送受信装置が開示されている。特許文献４には、メインマイコン、サブマイコンを備えたシステムにおいて、メモリの一部を共用にして有効活用する構成が開示されている。
【特許文献１】特開２００５−６１７９公報
【特許文献２】特開２００２−１４２１６３公報
【特許文献３】特開２００３−１９８９７４公報
【特許文献４】特開２００２−２１５５９６公報
【発明の開示】
【発明が解決しようとする課題】
【０００７】
しかしながら、視聴制限を行うための設定情報を不揮発性メモリにすべて記憶させると、１ｋＢという大きな容量が必要となっていた。不揮発性メモリ（または、フラッシュメモリがマイコンに搭載されている場合であれば、そのマイコン）は購入品であり、若干の容量オーバーでも、上のクラスのチップを必要となり、コストアップとなっていた。Ｖ−ＣＨＩＰに対応させるために、たとえば６４ｋｂｉｔの不揮発性メモリを１２８ｋｂｉｔのものにしなければならなかった。特許文献１の構成は、これを解決するものであるが、サーバに送信するなど、別の通信手段、通信回線が必要であり、設置する上で制限がかかる問題があった。
【０００８】
そこで、視聴制限をかけるための設定情報のデータを記憶する放送受信装置において、不揮発性メモリの容量の増加を抑制することを提供することを目的とする。
【課題を解決するための手段】
【０００９】
本発明は、上述の課題を解決するための手段を以下のように構成している。
【００１０】
（１）  放送番組を受信すると共に、各放送番組についての視聴制限を行うための各種項目とその項目についてのレイティングとを対応したデータテーブルを受信する受信手段と、を備える放送受信装置において、
前記データテーブルのうちの文字データを記憶する揮発性メモリと、
前記データテーブルのうち、前記データテーブルの構造を表す構造データであって、前記文字データ以外の構造データを記憶する不揮発性メモリと、を備える。
【００１１】
この構成では、データテーブルのうち文字データは、揮発性メモリに記憶する。データテーブルは、受信できるので、電源をオフにしても、再度電源をオンにしたときに受信できるから、電源をオフにしたときに、記憶が失われる不揮発性メモリに記憶していても、問題が生じない。したがって、この構成では、容量が多く必要となる文字データを揮発性メモリに記憶しているので、コストがかかる不揮発性メモリの容量を縮小できる。
【００１２】
（２）  前記不揮発性メモリは、前記構造データとして、前記視聴制限の項目の総数、前記視聴制限の項目各々に含まれるレイティングの総数を含むデータを記憶してもよい。
【００１３】
（３）  前記受信手段は、さらに現在受信している放送番組の視聴制限をするためのレイティングを受信し、
前記受信手段により受信した設定情報に基づいて、前記設定項目についてそのレイティングレベルの設定を予め受け付ける設定手段と、
現在受信している放送番組のレイティングと、前記レイティングレベルの設定と、を比較した結果に基づいて、当該放送番組の映像信号の出力を禁止する禁止手段と、を備え、
前記設定手段は、前記不揮発性メモリ、揮発性メモリに記憶されたデータを合成して、視聴制限のための項目の名称と、そのレイティングの名称を表示して、前記レイティングレベルの設定を予め受け付ける。
【００１４】
この構成では、設定手段は、前記受信手段により受信した設定情報に基づいて、前記設定項目についてそのレイティングレベルの設定を予め受け付ける。このとき、前記不揮発性メモリ、揮発性メモリに記憶されたデータを合成して、視聴制限のための項目の名称と、そのレイティングの名称を表示する。したがって、この設定を行ううえでも、容量が多く必要となる文字データを揮発性メモリに記憶することができるので、コストがかかる不揮発性メモリの容量を縮小できる。
【００１５】
（４）  前記文字データのデフォルトデータが記録された読み出し専用メモリと、
前記禁止手段が前記放送の受信を禁止する場合に、前記現在受信している放送番組が視聴禁止の設定がされている旨の禁止表示を出力する禁止表示手段と、を備え、
前記禁止表示手段は、前記文字データが前記揮発性メモリにないときには、前記デフォルトデータに基づいて前記禁止表示を出力し、前記文字データが前記揮発性メモリにあるときには、前記揮発性メモリに記憶された文字データに基づいて前記禁止表示を出力する。
【００１６】
この構成では、仮に視聴禁止時に表示する項目名、レイティングを受信できない場合でも、とりあえず受信を禁止することが可能であり、かつ、設定情報のバージョンが、装置の出荷時のデフォルトデータの範囲であれば、視聴禁止時にその項目名、レイティングを表示して、視聴制限している旨を表示できる。
【００１７】
（５）  前記不揮発性メモリは、前記構造データとして、前記視聴制限の項目の総数、前記視聴制限の項目各々に含まれるレイティングの総数を含むデータを記憶すると共に、前記設定手段により受け付けた設定のデータを、視聴制限、視聴許可を表す２値のデータ列で記憶し、
前記禁止手段は、前記２値のデータ列を前記レイティングの総数で区分して、所定の項目の所定のレイティングについて視聴制限か視聴許可かの情報を取得し、これに基づいて、前記放送の受信を禁止する。
【００１８】
この構成では、視聴制限の各項目についての各レイティングについて、視聴制限、視聴許可の設定を２値のデータ列で記憶している。このデータ列は、不揮発性メモリに記憶した構造データから、どの項目のレイティングについて視聴制限か視聴許可かを取得できる。禁止手段はこの視聴制限か視聴許可かを取得しており、現在受信している放送番組について、視聴制限か視聴許可かを取得できる。したがって、設定を記憶する上でも、項目、レイティングのテキストデータを不揮発性メモリに記憶する必要がない。したがって、設定を記憶する上でも、容量が多く必要となる文字データを不揮発性メモリに記憶する必要がないから、コストがかかる不揮発性メモリの容量を縮小できる。
【発明の効果】
【００１９】
本発明によれば、視聴制限を行う放送受信装置において、容量が多く必要となる、項目、レイティングの文字データを不揮発性メモリに記憶する必要がないから、コストがかかる不揮発性メモリの容量を縮小できる。
【発明を実施するための最良の形態】
【００２０】
図１を用いて、本実施形態のデジタル放送録画装置（図中１で図示）の構成について説明する。ＤＶＤレコーダ１は、デジタル放送を受信して、受信した番組を録画する録画装置である。
【００２１】
ＤＶＤレコーダ１は、チューナ部２と、録画部３、Ｄ／Ａ変換器６１、６２と、ＯＳＤ（オンスクリーンディスプレイ）合成部５、Ｄ／Ａ変換器６１，６２、制御部７、リモコン受光部８を備える。またＤＶＤレコーダ１の外部に、リモコン８０、表示器１０２を備える。
【００２２】
アンテナ１０１は、電波を受信する。チューナ部２（本発明のチューナ部に相当する。）は、チューナ２０、ＴＶデコーダ２５を備えている。チューナ２０は、チューナパック２１、地上デジタルモジュール２２、テレビジデコーダ２５を備えている。チューナパック２１は、ＩＦフィルタと、ＩＦアンプ等とを備えている。ＩＦフィルタ（intermediate frequency）は所定の物理チャンネルの信号を通す。制御部７は、仮想チャンネルをチューナ部２に指示し、チューナ部２は、図示しないチャンネルテーブルに基づき、物理チャンネルを対応させ、この物理チャンネルをチューナパック２１に指示する。ＩＦアンプは、この信号を増幅する。以上の構成により、チューナ部２１は、チューナ指定されたチャンネルの放送信号を抽出し、地上デジタルモジュール２２に出力する。
【００２３】
地上デジタルモジュール２２は、復調回路、誤り訂正回路、マルチプレクサ、バッファメモリを備えている。復調回路は、入力された放送信号をデジタルデータであるＴＳ（トランスポートストリーム）にＯＦＤＭ（Orthogonal Frequency Division Multiplexing）復調し、誤り訂正回路に出力する。誤り訂正回路は入力されたＴＳ（トランスポートストリーム）の誤り情報を訂正する。
【００２４】
ＴＳには複数の仮想チャンネルの番組が多重化されて送信されている。デマルチプレクサは、これらの仮想チャンネルのうちの１チャンネルのパケットを抽出して、抽出したパケットに格納されているデータをバッファメモリに記憶させるとともに、チャンネル番号の情報を制御部７に出力する。
【００２５】
また、ＴＳには、ＰＳＩ(Program Specific Information、番組特定情報)またはＳＩ（Service Information）のパケットが含まれている（以下、ＰＳＩ／ＳＩと表記する）。デマルチプレクサは、ＴＳからＰＳＩ／ＳＩを分離して、バッファメモリは、これを記憶する。
【００２６】
ＴＶデコーダ２５は、チューナ２１内のバッファメモリが記憶するデータを適宜読み出す。そして、読み出したデータから映像データと音声データとを分離する。また、ＴＶデコーダ２５は、映像データと音声データを伸長し、出力する。
【００２７】
システムデコーダ２６は、デマルチプレクサが分離したＰＳＩ／ＳＩのパケットをデコードする。ＰＳＩ／ＳＩの中には、ＥＩＴ(EventInformation Table)が含まれている。ＥＩＴには、番組の名称や放送日時、放送内容など、番組に関連する情報が含まれる。さらに、ＥＩＴの中には、不適切な放送番組について子供が視聴しないよう、親が視聴制限をかける設定をするためのＲＲＴ（Rating Region Table、レイティング地域テーブル）が含まれる。このＲＲＴには、視聴制限を行うための各種の項目（Dimension,ディメンジョン）と、その項目によりどのレベルで視聴制限を行うかを表すレベル（レイティングレベル）とが対応付けられたＶ−ＣＨＩＰ情報を含んでいる。たとえば、ディメンジョンとしては、バイオレンス、アダルトなどの項目がある。レイティングレベルには、年齢制限をかける１３歳未満、１８歳未満など）のレベルの設定などがある。
【００２８】
システムデコーダ２６は、これらのＥＩＴ、ＲＲＴの情報を制御部７に出力する。制御部７は、主にＥＩＴを用いてＥＰＧ（ElectronicProgram Guide、電子番組表）を作成する。
【００２９】
録画部３は、ＴＶデコーダ２５から出力された映像信号を記録媒体たとえば、ハードディスク、ＤＶＤに記録する。なお、録画部３は、ＤＶＤレコーダ１としては必要であるが、本発明の実施形態で、視聴禁止をするための構成としては必ずしも必要がない。
【００３０】
ＯＳＤ合成部５は、ＤＶＤレコーダ１の各種設定を表示するための文字図形の映像信号を出力する。ＯＳＤ合成部５は、ＯＳＤ画像メモリを備えており、制御部７（ＤＶＤ再生時）、このＯＳＤ画像メモリが記憶している文字又は図形の映像信号を生成し、出力する。また、ＴＶデコーダ２５から映像信号が出力されている場合には、ＯＳＤ合成部５は、この映像信号を合成する。
例えば、ＯＳＤ合成部５は、チューナ部２で受信して表示しているときは、チャンネル情報を表す映像信号を生成する。また、初期設定機能７１が動作しているときは、その設定項目を表す映像信号を生成する。
【００３１】
Ｄ／Ａ変換部６１は、ＯＳＤ合成部５から出力した映像信号をアナログの映像信号に変換し、外部の表示器１０２（テレビジョン受像機受像機等）に出力する。Ｄ／Ａ変換部６２は、ＴＶデコーダ２５またはデコーダ３３から出力された音声信号をアナログの音声信号に変換し、スピーカ１０３に出力する。
【００３２】
制御部７は、マイコンで構成し、ＣＰＵ、制御部７内のサブプログラムを格納するＲＯＭ（不図示）、制御部７の計算結果を一時的に記憶するＲＡＭ（不図示）を備え、ＤＶＤレコーダ１内の各部を制御する。
【００３３】
制御部７は、ＲＲＴ設定処理７２１、ＲＲＴ保存処理７２２、視聴禁止処理７２３を行うための各種のサブルーチンと、工場出荷時に記録するＲＲＴデータであるデフォルトＲＲＴデータ７２５をＲＯＭ７２内に格納している。
【００３４】
不揮発性メモリ７４は、ＥＥＰＲＯＭ（Electronically Erasable and Programmable Read Only Memory）とすることができる。ＥＥＰＲＯＭは、放送受信装置１の電源をオフにしても記憶を継続することができ、また、電気的に内容を書き換えることができる。揮発性メモリ７５は、ＲＲＴのうち文字データを記憶する。
【００３５】
リモコン受光部８はリモコンからの赤外信号を受け付ける。操作部８は、制御部７を操作するための制御入力を受け付ける。ＤＶＤレコーダ１またはリモコンの操作子が押下げられると、所定の制御入力が制御部７に入力される。
【００３６】
なお、この実施形態ではＤ／Ａ変換部６１、６２を設けているが、外部にデジタル信号対応のテレビジョンを接続する場合は、Ｄ／Ａ変換部６１、６２を設ける必要はない。また、チャンネル走査機能７１は、チャンネルテーブルを記録部３２に記録してもよい。また、この実施形態では、アンテナ１０１から受信しているが、ケーブルテレビ送信網を通じて受信するものでも良い。
【００３７】
図２を用いて、ＲＲＴテーブルの構成について説明する。ＲＲＴは、ディメンジョンと、そのレイティングという２次元のデータになる。ディメンジョンは、視聴制限を行う各種の項目である。図２に示すようにディメンジョンとして「Ｈｕｍｏｒ  Ｌｅｖｅｌ」、「Ｖｉｏｌｅｎｃｅ  Ｌｅｖｅｌ」などがある。また、図２に示す以外でも、「Ｓｅｘ」などのディメンジョンを設けてもよい。レイティングレベルは、この各ディメンジョンに対して、視聴制限を行うレベルである。たとえば、「Ｈｕｍｏｒ  Ｌｅｖｅｌ」のディメンジョンについては、「ＤＨ」、「ＭＨ」、「Ｈ」、「ＶＨ」などのレイティングレベルがあり、「Ｖｉｏｌｅｎｃｅ  Ｌｅｖｅｌ」のディメンジョンについては、「Ｕ−１７」、「Ｕ−１３」、「Ｕ−６」などのレイティングレベルがある。
【００３８】
ユーザ、特に未成年の子供を持つ親は、放送受信装置１に予め所定のキーワードを入力して、それぞれのディメンジョンについて、レイティングレベルを設定する。このキーワードを入力したとき、ＲＲＴ設定処理７２１のサブルーチンが起動する。このとき予めチューナ部２から受信して、不揮発性メモリ７４などに記憶しているＲＲＴのデータを読み出す。そして、図２のようなテーブルを表示する。ＲＲＴ設定処理７２１では、このテーブルを表示した後、レイティングレベルの設定を受け付ける。ユーザは、リモコン８０のカーソルキー８１を操作して、ディメンジョンを選択する。そのとき、制御部７は、ユーザが選択している文字について、たとえばハイライト表示を行うようＯＳＤ合成部５に指示する。具体的には、文字色が反転するように、制御部７は、ＯＳＤ合成部５に所定のコマンドを送信する。ユーザが選択しているレベルについて、レイティングレベルを設定するときは、決定キー８３を押し下げる。リモコン受光部８が、決定キー８３の信号を受けて、制御部７は、選択されたレイティングレベルの文字色を変えるようＯＳＤ合成部５にコマンドを出力する。また、選択されたレイティングレベルを不揮発性メモリ７４に記憶する。さらに、別のディメンジョンのレイティングレベルへカーソルを移動させる。
【００３９】
ＲＲＴ設定処理７２１で表示するＲＲＴテーブルのデータは、放送受信装置１の出荷時に設定したＲＯＭに記録されている。また、チューナ部２による放送の受信時には、ＲＲＴ保存処理７２２のサブルーチンを起動して、制御部７は、随時、不揮発性メモリ７４、揮発性メモリ７５に記憶させる。
【００４０】
次に、図３、図４を用いて、ＲＲＴを不揮発性メモリ７４、不揮発性メモリ７４に記憶する処理について説明する。この処理は、ＲＲＴ保存処理７２２によって行う。図３は、不揮発性メモリ７４に記憶させるデータのフォーマット例を示している。図４は、揮発性メモリ７５に記憶するデータのフォーマット例を示している。
【００４１】
図３に示すように、制御部７は、ＲＲＴのデータのうち、ＲＲＴバージョン、ディメンジョン数、各ディメンジョンの構成を不揮発性メモリ７４に記憶させる。各ディメンジョンの構成には、ユーザ設定時のブロック設定方法（一律でレベルを設定するか、個別にレベルを設定するか）と、各ディメンジョンに対応するレイティングの総数を含む。ユーザ設定時のブロック設定方法には、視聴制限のレイティングを一律に定める方式か、個別に定めるかの情報を２値（０または１）で記憶する。
ここで、放送局から送信されるＲＲＴは、頻繁に変わるものではなく、バージョンアップに伴い修正される。そのバージョンアップまでは、チューナ部２は、同一のデータを受信しており、制御部７に出力する。
【００４２】
図４に示すように、揮発性メモリ７５には、ＲＲＴの文字列を記憶する。図２の例であれば、ディメンジョンの「Ｈｕｍｏｒ  Ｌｅｖｅｌ」（これをディメンジョン１とする。）、そのレイティングである「ＤＨ」、「ＭＨ」、「Ｈ」、「ＶＨ」を記憶する。また、「Ｖｉｏｌｅｎｃｅ  Ｌｅｖｅｌ」（これをディメンジョン２とする。）、そのレイティングである「Ｕ−１７」、「Ｕ−１３」、「Ｕ−６」を記憶する。これデータはＲＲＴのバージョンアップに伴い変動する可変長のデータである。そこで、揮発性メモリ７５には、これらの文字の長さや、数、アドレスなどを記憶するための変換テーブルと、変換テーブルを記憶する領域と、上記した文字列データそのものを記憶する領域がある。変換テーブルには、各ディメンジョンの先頭アドレスと文字数、そのディメンジョンのレイティングの先頭アドレスと文字数を記憶する。また、文字列データ領域のアドレスには、文字列の１文字のキャラクタコードが記憶されている。
【００４３】
たとえば、変換テーブルのアドレス０ｘ０１００には（「０ｘ」は、１６進数を示している。以下同じ。）、ディメンジョンの「Ｈｕｍｏｒ  Ｌｅｖｅｌ」の文字列が記憶された先頭アドレスである「０ｘ１１４」が記憶されている。そして、アドレス「０ｘ１１４」は、文字列データ領域にあり、アドレス「０ｘ１１４」には、ディメンジョンの「Ｈｕｍｏｒ  Ｌｅｖｅｌ」の先頭の「Ｈ」のキャラクタコードが格納されている。変換テーブルのアドレス０ｘ０１０１には、「Ｈｕｍｏｒ  Ｌｅｖｅｌ」の文字数「０ｘ０Ｂ」＝１１が記憶されている。これは、文字列データ領域の０ｘ１１４〜０ｘ１１Ｆに対応する文字数である。
【００４４】
また、変換テーブルのアドレス０ｘ０１０２には、ディメンジョンの「Ｖｉｏｌｅｎｃｅ  Ｌｅｖｅｌ」の文字列が記憶された先頭アドレスである「０ｘ１２０」が記憶されている。そして、アドレス「０ｘ１２０」は、文字列データ領域にあり、アドレス「０ｘ１２０」には、ディメンジョンの「Ｖｉｏｌｅｎｃｅ  Ｌｅｖｅｌ」の先頭の「Ｖ」が格納されている。変換テーブルのアドレス０ｘ０１０３には、「Ｈｕｍｏｒ  Ｌｅｖｅｌ」の文字数「０ｘ０Ｅ」＝１４が記憶されている。これは、文字列データ領域の０ｘ１２０〜０ｘ１２Ｄに対応する文字数である。
【００４５】
また、変換テーブルのアドレス０ｘ０１０４には、レイティングの「ＤＨ」の文字列が記憶された先頭アドレスである「０ｘ１２Ｆ」が記憶されている。そして、アドレス「０ｘ１２Ｆ」は、文字列データ領域にあり、アドレス「０ｘ１２Ｆ」には、ディメンジョンの「Ｖｉｏｌｅｎｃｅ  Ｌｅｖｅｌ」の先頭の「Ｄ」が格納されている。変換テーブルのアドレス０ｘ０１０５には、「ＤＨ」の文字数「０ｘ０２」＝２が記憶されている。これは、文字列データ領域の０ｘ１２Ｆ〜０ｘ１３０に対応する文字数である。
【００４６】
このようにしてＲＲＴを記憶しているので、不揮発性メモリ７４を参照すれば、図４で示した揮発性メモリ７５内のＲａｔｉｎｇ（レイティング）構成−文字列変換テーブルをどこまで読み取ればよいのか、揮発性メモリ７５のどこに文字列のアドレスを記憶しているのかを読み取ることができる。例えば、ディメンジョン数を２とすれば、図２によればディメンジョン２のＬＥＶＥＬ３の文字の冒頭のアドレス０ｘ１１３は、図３の冒頭のアドレスから数えると、＋｛ディメンジョン数×２（ディメンジョン文字の先頭アドレス＋ディメンジョン文字数で各２個）｝＋｛５（ディメンジョン１のレベル数）＋３（ディメンジョン１のレベル数）｝×２（レベル文字の先頭アドレス＋レベル文字数で各２個）−１＝１９となる。１９は、１６進数で０ｘ１１２となる。冒頭のアドレスに（０ｘ１００−０ｘ００１）を加算すると、０ｘ１１３がえらえる。
【００４７】
なお、このような不揮発性メモリ７４に記憶しているものは、本発明の「構造データ」に相当する。変換テーブルの記憶領域と、文字列データ領域を有するから、ＲＲＴのうちの文字列を記憶することができる。
【００４８】
次に、図５（Ａ）を用いて、Ｖチップの設定画面、不揮発性メモリ７４に記憶するＶチップの設定データのフォーマットについて説明する。図５（Ａ）は、その設定画面のメニュー画面の例を表している。この画面は、たとえば、リモコン８の所定のキー操作（たとえばパスワード入力）により、呼び出すことができる。親は、子供が所定の放送番組を視聴しないように、子供に秘密のパスワードを入力等によりこの設定画面を出力する。
【００４９】
図５（Ａ）の左の図に示すように、リモコン受光部８０は、リモコン８０から、「Ｈｕｍｏｒ  Ｌｅｖｅｌ」、「Ｖｉｏｌｅｎｃｅ  Ｌｅｖｅｌ」のディメンジョンの選択を受け付ける。カーソルキー８１で「Ｈｕｍｏｒ  Ｌｅｖｅｌ」が選択され、決定ボタン８３が押されると、ディメンジョンの「Ｈｕｍｏｒ  Ｌｅｖｅｌ」の各レイティングが表示される。各レベルを設定する選択は、カーソルキー８１の上下キーで行うものとすることができる。「ＶＩＥＷ」(視聴可)、「ＢＬＯＣＫ」（視聴制限）の選択ができる。レベル「ＤＨ」、「ＭＨ」、「Ｈ」、「ＶＨ」、「ＥＨ」は、段階を形成しているから、各レベルについて、「ＶＩＥＷ」(視聴可)、「ＢＬＯＣＫ」（視聴制限）を選択する必要はなく、これら「ＶＩＥＷ」(視聴可)、「ＢＬＯＣＫ」（視聴制限）の境目のレベルを選択すれば足りる。図５の右図に示すように、カーソルが「Ｈ」に移動したときには、「Ｈ」以上のレベルである、「Ｈ」、「ＶＨ」、「ＭＨ」について、「ＢＬＯＣＫ」（視聴制限）を表示し、「Ｈ」未満のレベルの「ＤＨ」、「ＭＨ」については、「ＶＩＥＷ」(視聴可)を表示する。また、カーソルを「ＤＨ」に移動させたときには、すべての段階について「ＢＬＯＣＫ」（視聴制限）になり、カーソルキー８１により、カーソルを「ＥＨ」に移動させたときには、「ＥＨ」を除くすべての段階について「ＶＩＥＷ」(視聴可)になり、さらに、カーソルを下に移動させると、「ＥＨ」を含むすべての段階について「ＶＩＥＷ」(視聴可)になる。
【００５０】
このようにして、画面上で設定がされ、リモコン８０の決定キー８３が押されると、ＲＲＴ設定処理７２１では、制御部７はＶ−ＣＨＩＰの設定データを不揮発性メモリ７４に記憶させる。
【００５１】
図５（Ｂ）上段に、揮発性メモリ７５に記憶するＶ−ＣＨＩＰの設定データの構造を示す。設定データは、ディメンジョンとレイティングの２次元のテーブルとして構成できる。この構造は、各ディメンジョンの各レイティングについて、「ＶＩＥＷ」(視聴可)、「ＢＬＯＣＫ」（視聴制限）、「ＶＩＥＷ」(視聴可)が設定されたデータとなっている。
【００５２】
実際には、このテキストデータを「ＢＬＯＣＫ」（視聴制限）＝０、「ＶＩＥＷ」(視聴可)＝１という風に２値でコード化してコード列を記憶する。たとえば、「Ｈｕｍｏｒ  Ｌｅｖｅｌ」の各レイティングが「ＶＩＥＷ」、「ＢＬＯＣＫ」、「ＶＩＥＷ」、「ＢＬＯＣＫ」、「ＶＩＥＷ」となっているので、「１０１０１」を不揮発性メモリ７４に記憶する。「Ｖｉｏｌｅｎｃｅ  Ｌｅｖｅｌ」については、「ＶＩＥＷ」、「ＢＬＯＣＫ」、「ＢＬＯＣＫ」となっているので、「１００」を不揮発性メモリ７４に記憶する。スラッシュ「/」は、説明上記載したものであり、実際には、「/」のためのデータを付加しない。図３で示したＲＲＴの構造データからレベルの総数を見てどのディメンジョンか、どのレベルかを判別する。
【００５３】
なお、不揮発性メモリ７４に記憶させて、揮発性メモリ７５に記憶しないのは、ユーザの設定したＶ−ＣＨＩＰのデータを永続的に記憶させるためであり、この設定に基づいて、視聴制限を確実に行うためである。一方、ＲＲＴ保存処理７２２で記憶させるＶ−ＣＨＩＰのテキストデータは、定期的に受信されるので、揮発性メモリ７５に記憶することが可能である。
【００５４】
図５で示した例は一例であり、各ディメンジョンに対するレイティングを設定するものであれば他のどのような方法でもよい。
【００５５】
次に、図６を用いて、視聴制限がされる様子について説明する。図６は、視聴制限がされた場合の画面の例を表している。この例では、画面を真っ黒にして、視聴制限を行うとともに、現在放送中の番組が、ＲＲＴ設定処理７２１で設定されたディメンジョン「Ｈｕｍｏｒ  Ｌｅｖｅｌ」のレイティング「Ｈ」により視聴制限がされている旨のＯＳＤ表示をしている。ここで、視聴禁止処理７２３の処理について、説明する。図５で示したような画面で、ディメンジョンとレイティングが放送受信装置に設定された場合には、視聴制限したディメンジョンとそのレイティングが不揮発性メモリ７４、揮発性メモリ７５に記憶される。一方、チューナ部２は、前述したＥＩＴを受信し、制御部７に出力している。ＥＩＴには、各放送番組のＶ−ＣＨＩＰ情報が含まれる。視聴禁止処理７２３は、現在放送中の番組のＶ−ＣＨＩＰのレイティングが、ＲＲＴ設定処理７２１で「ＢＬＯＣＫ」（視聴制限）となっていれば、図６に示すような画面を表示して、その放送番組の映像信号の出力を禁止、または不表示の処理をする。
【００５６】
次に図７のフロー図を用いて、ＲＲＴ保存処理７２２について説明する。ＳＴ１で、すでに記憶されている不揮発性メモリのデータを読み出す。この処理は放送受信装置１の電源オン時に行う。また、定期的に行ってもよい。ＳＴ２で、チューナ部２にチャンネルの選局を指示する。チューナ部２は、リモコン８０で設定された放送局を選局すると共に、ＥＩＴを制御部７に出力する。ＳＴ３で、制御部７は、ＥＩＴからＲＲＴを抽出する。
ここで、ＥＩＴに含まれるＲＲＴデータは、定期的に受信できるが、たとえば、以下のように受信できないケースがある。
【００５７】
＜ケース１＞放送局によってはＲＲＴデータを配信していない場合がある。
＜ケース２＞再放送の番組ではＲＲＴデータが含まれていない場合がある。
【００５８】
以上の場合では、放送受信装置１の起動時に選局した放送局がＲＲＴデータを配信されていない場合には、これを受信できない場合がある。特にチューナ部２が１つの物理チャンネルしか受信できない場合には、この放送番組の映像信号を出力する限り、別の放送局のＲＲＴを受信できないから、ＲＲＴデータを受信できない。
【００５９】
そこで、ＳＴ４で、ＥＩＴに含まれるＲＲＴデータが受信できたかどうか判断する。ＲＲＴデータ受信できた場合には（ＳＴ４のＹＥＳ）、処理はＳＴ４に進む。ＲＲＴデータが受信できなかった場合には（ＳＴ４のＮＯ）、ＳＴ８に移動する。ＳＴ８では、ＲＲＴデータが受信できた旨のフラグ（ＲＲＴデータフラグ）を０にリセットして、不揮発性メモリ７４に記憶させる。その後、ＲＲＴ設定処理７２１は終了する。
ＳＴ５は、ＲＲＴデータが受信できた場合に分岐する。この場合、ＲＲＴデータが受信できた旨のフラグ（ＲＲＴデータフラグ）を１にセットして、不揮発性メモリ７４に記憶させる。
ＳＴ６で、ＲＲＴ構造データを不揮発性メモリ７４に記憶させる。たとえば、図３で示したフォーマットで記憶させる。ＳＴ５で、ＲＲＴテキストデータを揮発性メモリ７５に記憶させる。たとえば、図４で示したフォーマットで記憶させる。その後フローは終了する。
なお、ＳＴ６、ＳＴ７は、前後していてもよいし、同時に行ってもよい。
【００６０】
次に図８のフロー図を用いて、視聴禁止処理７２３について説明する。この処理は、リモコン８０等からチャンネルが選局されたときに行う。
ＳＴ１１で、揮発性メモリ７５から、ユーザが設定したＶ−ＣＨＩＰの設定データを読み出す。
ＳＴ１２で、制御部７は、リモコン８０で指定されたチャンネルの選局をチューナ部２に指示する。チューナ部２は、指定されたチャンネルの選局をすると共に、ＥＩＴを出力する。この段階では、チューナ部２は、選局をしても、黒で塗りつぶした映像信号が表示器１０２に出力されるようにして、選局した放送番組が直ちに見えないようにする。このとき、選局した放送番組の映像信号を出力しないようにしてもよいし、黒で塗りつぶした映像信号のレイヤーをかぶせて出力してもよい。
ＳＴ１３で、制御部７は、選局された放送番組のＶ−ＣＨＩＰのディメンジョン、レイティングレベルをＥＩＴから抽出する。ＳＴ１４で、ユーザが設定したＶ−ＣＨＩＰの設定データを参照して、選局された放送番組のＶ−ＣＨＩＰのレイティングレベルが、所定のディメンジョンについて、「ＢＬＯＣＫ」（視聴制限）となっているか判断する。選局された放送番組のＶ−ＣＨＩＰのレイティングレベルが、所定のディメンジョンについて、「ＢＬＯＣＫ」（視聴制限）となっている場合には（ＳＴ１４のＹＥＳ）、ＳＴ１４１に進む。ＳＴ１４１では新たな処理を行わないが、上記ＳＴ１２で示したように選局した放送番組が表示されないようにした状態を継続する。
【００６１】
選局された放送番組のＶ−ＣＨＩＰのレイティングレベルが、「ＢＬＯＣＫ」（視聴制限）となっていない場合には（ＳＴ１４のＮＯ）、ＳＴ１８で、放送番組の映像信号を表示器１０２に出力して、フローは終了する。
【００６２】
ＳＴ１５で、ＲＲＴフラグがセットされているかどうか判断する。具体的には、ＲＲＴフラグ＝１かどうか判断する。ここで、このＲＲＴフラグは、図７のフローのＳＴ４でセットされたものである。このＲＲＴフラグ＝１の場合（ＳＴ１５のＹＥＳ）は、揮発性メモリ７５がＲＲＴデータを記憶している。そこで、揮発性メモリ７５に記憶したＲＲＴデータからテキストデータを読み出して、「ＢＬＯＣＫ」（視聴制限）されている旨のＯＳＤ表示を表示器１０２に出力する。このとき、視聴制限に関係したディメンジョンと、このディメンジョンについてＲＲＴ設定処理７２１で設定されたレイティングレベルを表示する。ＲＲＴフラグ＝１でない場合（ＳＴ１５のＮＯ）、ＳＴ１７で、ＲＯＭ７２に記憶したデフォルトＲＲＴデータ７２５を表示する。このＳＴ１５のＮＯの場合であって、デフォルトＲＲＴデータ７２５とバージョンが異なる場合には、該当する文字がないことが生じうる。この場合には、表示できる文字だけを表示する。
【００６３】
ＳＴ１６〜ＳＴ１７のいずれかの後、図８のフローは終了する。このとき、画面を黒く塗りつぶした状態を継続する。別のチャンネルが選択されたときは、図８で示したフローを最初からやり直す。
【００６４】
なお、ＳＴ１５でＲＲＴのフラグがセットされているか否かにかかわらず、すなわち、ＲＲＴのテキストデータが揮発性メモリ７５に記憶されているか否かにかかわらず、視聴制限をすることは可能である。制御部７は、ＳＴ１３で、選局された放送番組のＲＲＴをＥＩＴから抽出した場合に、図５（Ｂ）で示したように、ユーザ設定により揮発性メモリ７５には、現在放送している番組が「ＢＬＯＣＫ」（視聴制限）かどうかを検出できる。
また、以上の説明で視聴禁止処理７２３において、画面を黒く塗りつぶすとしたが、指定された番組を表示しなければ、どのような背景を表示してもよい。
また、ディメンジョンは、本発明の「視聴制限を行うための各種項目」に相当する。
また、以上では、チューナパック２１、地上デジタルモジュール２２を例にとって説明したが、本発明の実施形態としては、放送番組を受信して、ディメンジョン、レイティングを定期的に受信し、受信手段に視聴制限をかける構成であればよい。また、チューナパック２１、地上デジタルモジュール２２の役割分担はどのようなものでもよい。チューナパック２１がＴＳを出力する構成でもよい。
【図面の簡単な説明】
【００６５】
【図１】第１実施形態の放送受信装置の構成図
【図２】ＲＲＴテーブルの構成図
【図３】第１実施形態の放送受信装置の不揮発性メモリに保存するデータのフォーマットの例
【図４】第１実施形態の放送受信装置の揮発性メモリに保存するデータのフォーマットの例
【図５】第１実施形態の放送受信装置の視聴制限設定処理時の画面表示例
【図６】第１実施形態の放送受信装置の受信ブロック処理時の表示例
【図７】第１実施形態の放送受信装置のＲＲＴデータ保存処理のフロー図
【図８】第１実施形態の放送受信装置の受信ブロック処理のフロー図
【符号の説明】
【００６６】
１−ＤＶＤレコーダ、  ２−チューナ部、
２１−チューナパック、  ２２−地上デジタルモジュール、
２５−ＴＶデコーダ、  ２６−システムデコーダ、  ５−ＯＳＤ合成部、
６１−Ｄ／Ａ変換器、  ６２−Ｄ／Ａ変換器、
７−制御部、  ７１−不揮発性メモリ、  ７２−ＲＯＭ、
７２１−ＲＲＴ設定処理、  ７２２−ＲＲＴ保存処理、
７２３−視聴禁止処理、  ７２５−デフォルトＲＲＴデータ、
７３−ＲＡＭ、  ７４−不揮発性メモリ、  ７５−揮発性メモリ、
８−リモコン受光部、  ８０−リモコン、
８１−カーソルキー、  ８３−決定キー、  １０１−アンテナ、  １０２−表示器
【図１】
2008278175.tif 000003
【図２】
2008278175.tif 000004
【図３】
2008278175.tif 000005
【図４】
2008278175.tif 000006
【図５】
2008278175.tif 000007
【図６】
2008278175.tif 000008
【図７】
2008278175.tif 000009
【図８】
2008278175.tif 000010